【手続補正書】
【提出日】令和2年10月21日(2020.10.21)
【手続補正１】
【補正対象書類名】特許請求の範囲
【補正対象項目名】全文
【補正方法】変更
【補正の内容】
【特許請求の範囲】
【請求項１】
情報処理装置であって、
前記情報処理装置が外部に提供する複数のサービスに関する情報を外部に通知する通知手段と、
通信端末から前記複数のサービスのうちの一のサービスが指定された接続要求を受信した場合、当該指定されたサービスに少なくとも基づいて、前記情報処理装置と前記通信端末との間で、外部のアクセスポイント装置を経由することなく直接無線通信を行うための無線接続を行うか否かを異ならせる制御手段と、
を有することを特徴とする情報処理装置。
【請求項２】
前記通知手段は、前記複数のサービスに関する情報それぞれを通知するメッセージデータを外部に定期的に送信することで、前記情報処理装置が提供する複数のサービスを外部に通知することを特徴とする請求項１に記載の情報処理装置。
【請求項３】
前記送信されるメッセージデータのデータフォーマットは、Ｗｉ−Ｆｉ  ＮＡＮ（Ｎｅｉｇｈｂｏｒ  Ａｗａｒｅｎｅｓｓ  Ｎｅｔｗｏｒｋｉｎｇ）で規定されたＰｕｂｌｉｓｈメッセージのデータフォーマットであることを特徴とする請求項２に記載の情報処理装置。
【請求項４】
前記通知手段は、通知するサービスが、外部のアクセスポイント装置を経由することなく直接無線通信を行うための無線接続への切り替えを許可しているか否かの情報を前記メッセージデータに含めて、前記メッセージデータを送信することを特徴とする請求項２又は３に記載の情報処理装置。
【請求項５】
前記複数のサービスそれぞれに対して前記通知を送信するか否かを設定する設定手段を更に有することを特徴とする請求項２乃至４のいずれか１項に記載の情報処理装置。
【請求項６】
前記無線接続に基づき前記情報処理装置と前記通信端末との間で確立される無線通信は、Ｗｉ−Ｆｉ  Ａｗａｒｅ（登録商標）規格の無線通信であることを特徴とする請求項２乃至５のいずれか１項に記載の情報処理装置。
【請求項７】
前記無線接続に基づき前記情報処理装置と前記通信端末との間で確立される無線通信は、Ｗｉ−Ｆｉ  Ｄｉｒｅｃｔ（登録商標）規格の無線通信であることを特徴とする請求項２乃至５のいずれか１項に記載の情報処理装置。
【請求項８】
前記情報処理装置は、印刷装置であることを特徴とする請求項１乃至７のいずれか１項に記載の情報処理装置。
【請求項９】
前記情報処理装置は、第１の通信インタフェースと、第２の通信インタフェースを介して外部装置とデータの送受信を行うことが可能であり、
外部に提供する複数のサービスに関する情報には、少なくとも第１の印刷サービスに関する情報、第２の印刷サービスに関する情報が含まれており、
前記第１の印刷サービスに関する情報には、前記第１の印刷サービスの名称、前記第１の通信インタフェースのＩＰアドレス、印刷に関するＵＲＩ（Ｕｎｉｆｏｒｍ  Ｒｅｓｏｕｒｃｅ  Ｉｄｅｎｔｉｆｉｅｒ）、及びポート番号が含まれており、
前記第２の印刷サービスに関する情報には、前記第２の印刷サービスの名称及び前記外部のアクセスポイント装置を経由することなく直接無線通信を行うための無線接続への切り替えを行えることを示す情報が含まれており、
前記制御手段は、前記通信端末から前記第１の印刷サービスが指定された接続要求を、前記第２の通信インタフェースを介して受信した場合、当該接続要求に基づいて前記直接無線通信を行うための無線接続を行わないよう制御する一方、前記通信端末から前記第２の印刷サービスが指定された接続要求を、前記第２の通信インタフェースを介して受信した場合、当該接続要求に基づいて前記直接無線通信を行うための無線接続を行うよう制御することを特徴とする請求項８に記載の情報処理装置。
【請求項１０】
印刷手段を更に有し、
前記制御手段は、前記通信端末から前記第１の印刷サービス宛の印刷処理の要求を前記第１の通信インタフェースを介して受信した場合、当該印刷処理の要求に基づき前記印刷手段が印刷処理を実行するよう制御することを特徴とする請求項９に記載の情報処理装置。
【請求項１１】
第１の通信インタフェースと、第２の通信インタフェースと、
前記第２の通信インタフェースを介して印刷装置が提供する印刷サービスに関する情報を示すメッセージデータを受信する受信手段と、
前記メッセージデータに含まれる、前記印刷サービスを利用する際に外部のアクセスポイント装置を経由することなく直接無線通信を行うための無線接続への切り替えを許可するか否かを示す情報に基づいて、当該無線接続を確立するための接続要求を前記第２の通信インタフェース経由で送信するか、前記メッセージデータに含まれるＩＰアドレスを用いて前記印刷装置とインフラストラクチャネットワーク経由での通信を行うかを異ならせる通信制御手段と、
を有することを特徴とする通信装置。
【請求項１２】
情報処理装置が実行する情報処理方法であって、
前記情報処理装置が外部に提供する複数のサービスに関する情報を外部に通知する通知工程と、
通信端末から前記複数のサービスのうちの一のサービスが指定された接続要求を受信した場合、当該指定されたサービスに少なくとも基づいて、前記情報処理装置と前記通信端末との間で、外部のアクセスポイント装置を経由することなく直接無線通信を行うための無線接続を行うか否かを異ならせる制御工程と、
を含むことを特徴とする情報処理方法。
【請求項１３】
通信装置が実行する情報処理方法であって、
前記通信装置は、第１の通信インタフェースと、第２の通信インタフェースとを有し、
前記第２の通信インタフェースを介して印刷装置が提供する印刷サービスに関する情報を示すメッセージデータを受信する受信工程と、
前記メッセージデータに含まれる、前記印刷サービスを利用する際に外部のアクセスポイント装置を経由することなく直接無線通信を行うための無線接続への切り替えを許可するか否かを示す情報に基づいて、当該無線接続を確立するための接続要求を前記第２の通信インタフェース経由で送信するか、前記メッセージデータに含まれるＩＰアドレスを用いて前記印刷装置とインフラストラクチャネットワーク経由での通信を行うかを異ならせる通信制御工程と、
を含むことを特徴とする情報処理方法。
【請求項１４】
コンピュータを、請求項１乃至１０のいずれか１項に記載の情報処理装置の各手段として機能させるためのプログラム。
【請求項１５】
コンピュータを、請求項１１に記載の通信装置の各手段として機能させるためのプログラム。
【手続補正２】
【補正対象書類名】明細書
【補正対象項目名】発明の名称
【補正方法】変更
【補正の内容】
【発明の名称】情報処理装置、通信装置、情報処理方法及びプログラム
【手続補正３】
【補正対象書類名】明細書
【補正対象項目名】０００１
【補正方法】変更
【補正の内容】
【０００１】
本発明は、情報処理装置、通信装置、情報処理方法及びプログラムに関する。
【手続補正４】
【補正対象書類名】明細書
【補正対象項目名】０００５
【補正方法】変更
【補正の内容】
【０００５】
本発明の情報処理装置は、前記情報処理装置が外部に提供する複数のサービスに関する情報を外部に通知する通知手段と、通信端末から前記複数のサービスのうちの一のサービスが指定された接続要求を受信した場合、当該指定されたサービスに少なくとも基づいて、前記情報処理装置と前記通信端末との間で、外部のアクセスポイント装置を経由することなく直接無線通信を行うための無線接続を行うか否かを異ならせる制御手段と、を有する。